(57)【要約】【課題】ショップの壁面を利用してブラジャーやショーツを立体展示する。【解決手段】ブラジャーの左右カップ部を被せる左右一対のカップ保持用突出部と、パンツの正面側を被せるパンツ保持用突出部のすくなくとも一方を、外周縁は平板状とした基板から突設し、前記基板は、樹脂成形品あるいは繊維材からなることを特徴とするインナーウエア展示具を提供する。【選択図】図１
2010167230.tif 000002
【特許請求の範囲】
【請求項１】
ブラジャーの左右カップ部を被せる左右一対のカップ保持用突出部と、パンツの正面側を被せるパンツ保持用突出部のすくなくとも一方を、外周縁は平板状とした基板から突設し、前記基板は、樹脂成形品あるいは繊維材からなることを特徴とするインナーウエア展示具。
【請求項２】
前記繊維材からなる基板は、保形性を有する裏打材と、該裏打材の表面に積層一体化する表面側布帛からなる複合材とし、加熱加圧プレスで前記カップ保持用突出部あるいは／およびパンツ保持用突出部を突設している請求項１に記載のインナーウエア展示具。
【請求項３】
前記左右一対のカップ保持用突出部を設けたブラジャー展示用の前記基板は、横長な長方形状、あるいは少なくとも人体の首から胴部までの外形に沿った形状とし、 
前記パンツ保持用突出部を設けたパンツ展示用の前記基板は、少なくとも腹部および大腿部の外形に沿った外形を有するものとし、前記腹部に前記パンツ保持用突出部を設け、  あるいは、前記左右一対のカップ保持用突出部と前記パンツ保持用突出部とを１枚の基板に設けている請求項１または請求項２に記載のインナーウエア展示具。 
【請求項４】
前記左右一対のカップ保持用突出部を設けた基板には、上辺からブラジャーの肩紐を保持する切り込みを入れ、あるいは／および左右両側辺にブラジャーの脇部を保持する切り込みを入れ、
前記カップ保持用突出部にブラジャーのカップを被せた状態で、ブラジャーの背面部を基板の裏面側に回して止着させるものとしている請求項１乃至請求項３のいずれか１項に記載のインナーウエア展示具。
【請求項５】
前記左右一対のカップ保持用突出部は、最も膨出させた頂点より下半周側の外縁に達する下部領域の少なくとも一部に、ブラジャーのパット膨出部を収容する凹状円弧部を設けている請求項１乃至請求項４のいずれか１項に記載のインナーウエア展示具。
【請求項６】
前記基板はフックあるいはピンからなる留め具を用いて壁面に取り付けられ、あるいは、インナーウエアを装着した状態で前記基板を額縁内に入れ、額縁の表面台紙と裏板との間で前記基板の周縁部を挟持している請求項１乃至請求項５のいずれか１項に記載のインナーウエア展示具。
【請求項７】
前記樹脂成形品からなる基板の表面に布帛を一体的に積層し、該布帛あるいは、前記繊維材の表面側布帛は、装着するブラジャーあるいは／およびパンツに応じて布帛の種類および色を相違させている請求項１乃至請求項６のいずれか１項に記載のインナーウエア展示具。
【発明の詳細な説明】
【技術分野】
【０００１】
本発明はブラジャーやパンツからなるインナーウエアの展示具に関し、特に、インナーショップの壁面を利用してブラジャーやパンツを立体展示できるようにするものである。
【背景技術】
【０００２】
従来、ブラジャー等を販売しているインナーショップにおいて、ブラジャーを立体的に展示する場合には、マネキンが用いられている。
該マネキンは上半身型、全身型があり、インナーショップの床面または台座から起立させて配置している。マネキンは高価であると共に、スペース的な制約があるため、ブラジャーの立体的な展示は限られた個数になる。かつ、マネキンを用いない場合は、ハンガーにブラジャーを吊り下げて販売しているだけとなり、顧客ヘの訴求力は低い。
【０００３】
なお、マネキンに関しては、特開２００２−３３９１３２号公報で肩パット部材についての提案はなされているが、ブラジャーのカップ部を支持する展示具に関するものは提案はなされていない。
また、カップの陳列ケースとして国際公開番号ＷＯ０２−１４１８３号公報の提案があるが、該陳列ケースは左右のカップ部を別体とすると共に土台部から分離している特殊なブラジャー用であり、左右いずれか一方のカップ部を展示する一対の円形状フレームを備えたものである。
【先行技術文献】
【特許文献】
【０００４】
【特許文献１】特開２００２−３３９１３２号公報
【特許文献２】国際公開番号ＷＯ０２−１４１８３号公報
【発明の概要】
【発明が解決しようとする課題】
【０００５】
本発明は、インナーショップにおいて、壁面を利用してブラジャーやパンツを立体展示できるインナーウエア展示具を提供することを課題としている。
【課題を解決するための手段】
【０００６】
前記課題を解決するため、本発明は、ブラジャーの左右カップ部を被せる左右一対のカップ保持用突出部と、パンツの正面側を被せるパンツ保持用突出部のすくなくとも一方を、外周縁は平板状とした基板から突設し、
前記基板は、樹脂成形品あるいは繊維材からなることを特徴とするインナーウエア展示具を提供している。
【０００７】
前記のように、本発明では、ブラジャーやパンツをマネキンに取り付けて展示するのではなく、壁面に直接あるいは額縁等に入れてブラジャーやパンツを立体的に展示することができる。
このように、すくなくも外周縁に沿った部分は平板とした台紙状の基板に、ブラジャーやパンツを被せ、該基板をショップの壁の垂直面に配置すると、ブラジャーではカップが表面側に立体的に膨出した状態で見栄え良く展示することができる。かつ、パンツの場合も着用状態の外観で展示することができる。
【０００８】
前記繊維材からなる基板は、保形性を有する裏打材と、該裏打材の表面に積層一体化する表面側布帛からなる複合材とし、加熱加圧プレスで成形加工していることが好ましい。
【０００９】
前記左右一対のカップ保持用突出部を設けた前記基板の外形は、横長な長方形状、あるいは少なくとも人体の首から胴部までの外形に沿った形状としていることが好ましい。
前記基板の外形は横長な長方形状の定型的な形状とすると、壁面に整然と複数のブラジャーを展示することができ、かつ、額縁内にも収めることができる。
また、首から胴部にかけた外形に沿った形状とすると、首にネックレスをかけることもでき、装飾的な効果を高めることができる。
また、前記パンツ保持用突出部を設けた前記基板の外形は、少なくとも腹部および大腿部の外形に沿った外形を有するものとし、前記腹部に前記パンツ保持用突出部を設けたものとしている。
【００１０】
前記左右一対のカップ保持用突出部を設けた基板と、前記パンツ保持用突出部とを設けた基板とを連続した１枚の基板としてもよい。
ブラジャーとショーツとがペアの場合が多いため、１つの展示具でブラジャーとショーツの両方を立体展示することができる。
【００１１】
前記左右一対のカップ保持用突出部を設けた基板には、上辺からブラジャーの肩紐を保持する切り込みを入れ、あるいは／および左右両側辺にブラジャーの脇部を保持する切り込みを入れ、脇部の上部あるいは／および下部を切り込みに挿入すると、ブラジャーのカップの両側部も移動不可に保持できる。
また、前記カップ保持用突出部にブラジャーのカップを被せた状態で、ブラジャーの背面部を基板の裏面側に回して止着させると、基板にブラジャーをしっかりと保持することができる。
【００１２】
前記左右一対のカップ保持用突出部は、最も膨出させた頂点より下半周側の外縁に達する下部領域の少なくとも一部に、ブラジャーのパット膨出部を収容する凹状円弧部を設けてもよい。
該構成とすると、パット膨出部をカップ保持用突出部にぴったりと沿わせることができる。
【００１３】
ブラジャーやパンツを取り付けた基板をフックやピンからなる留め具を介して壁面に吊り下げたり、壁面に直接に取り付けることができる。よって、ショップの壁の空きスペースの高い位置を利用してブラジャーやパンツの立体展示を簡単に行うことができる。
また、ブラジャーやパンツを取り付けた状態で基板を額縁内に入れ、額縁の表面台紙と裏板との間で前記基板の周縁部を挟持してもよい。このように、ブラジャーやパンツを額縁内に入れて簡単に展示でき、ブラジャーの美しさや高級感を演出することができる。
【００１４】
前記基板を樹脂成形品としてカップ保持用突出部あるいは／およびパンツ保持用突出部を一体成形する場合には、該樹脂成形品の表面に布帛を一体的に接着して積層しておき、該布帛あるいは基板を繊維材から形成している場合には前記表面側布帛を装着するブラジャーに応じて布帛の種類および色を相違させていることが好ましい。
このように、ブラジャーあるいは／およびパンツを取り付ける基板の表面色や素材を簡単に変えることができ、例えば、高級感を出す場合にはベルベット生地、シャープなイメージを出す場合には光沢のあるポリエステル布帛等、素材と色とを要望に応じて任意に変えることができる。かつ、該表面側の布帛が薄く保形性がないものでも、裏面側の樹脂成形品や繊維基材と複層一体化することで保形性を保持することができる。
【００１５】
なお、本発明のインナーウエア展示具は、壁面等に垂直配置することに限定されず、販売台に平置きしてもよい。この場合も、ブラジャーのカップを下面からカップ保持用突出部で支持しておくことができ、ブラジャーのカップの立体感を強調することができる。
さらに、販売するブラジャーを保管しておく場合も、カップ保持用突出部にブラジャーのカップを積み重ねるようにして保持しておくと、カップを型崩れなく保管しておくことができる。
さらにまた、ブラジャーの購入者に販売すると、箪笥等の引出内に基板を収容し、該基板のカップ保持用突出部にブラジャーのカップを被せて収容しておくことで、カップの型くずれを防止できる。
【発明の効果】
【００１６】
前述したように、本発明のブラジャーあるいは／およびパンツを展示するインナーウエア展示具は、外周縁を平板とした基板に、一対のカップ保持用突出部あるいは／およびパンツ保持用突出部を設けた簡単な形状としているため、マネキン等の展示具と比較してコストを大幅に低下できる。かつ、ショップの壁面を利用してブラジャーやパンツを立体的に展示することができる。
【図面の簡単な説明】
【００１７】
【図１】本発明の第一実施形態のブラジャー展示具を示し、（Ａ）は全体斜視図、（Ｂ）はカップ保持用突出部の拡大図、（Ｃ）は（Ｂ）の断面図である。
【図２】前記カップ保持具で保持するパット付きブラジャーの背面図である。
【図３】ブラジャー展示具の基板を示す一部断面斜視図である。
【図４】ブラジャーのカップ部を被せた状態の断面図である。
【図５】（Ａ）（Ｂ）（Ｃ）はカップ保持具にブラジャーを装着して展示している状態を示す図面である。
【図６】第一実施形態の第一変形例を示す図面である。
【図７】第一実施形態の第二変形例を示す図面である。
【図８】第二実施形態を示す図面である。
【図９】第三実施形態を示す図面である。
【図１０】第四実施形態を示す図面である。
【発明を実施するための形態】
【００１８】
以下、本発明のインナーウエア展示具の実施形態を図面を参照して説明する。
図１乃至図４に第一実施形態のブラジャー展示用のインナーウエア展示具を示す。
インナーウエア展示具１は、図１（Ａ）に示すように、外形を横長な長方形状とした基板２の左右に、左右一対のカップ保持用突出部３（以下、突出部３と略称する）を設けている。
【００１９】
図１（Ｂ）（Ｃ）に示すように、前記突出部３は最も膨出させた頂点４を挟んで、上半周部５は女性のバストに添わせて凸状円弧部の形状としている。頂点４より下側で下側外周縁６に達するまでの下半周部７では、頂点４から下側に３ｍｍ〜３ｃｍの範囲の位置までは凸状円弧部８とし、該凸状円弧部８から下側外周縁６までは凹状円弧部１０としている。該凹状円弧部の曲率は大きくして浅い窪みとしている。
【００２０】
該凹状円弧部１０の窪みは、図２に示すブラジャー２０のカップ部２１の背面側に装着されるパット２２の厚さおよび形状に添わせたものとしている。即ち、パット２２をカップ部２１に装着した状態で、該パット装着部は裏面側に膨出し、この膨出した部分が前記凹状円弧部１０の窪みにフィットするように設定している。その際、ブラジャー２０に装着されるパット２２のうち、最大厚みのパット２２に対応させた窪みとしていることが好ましい。
前記パット２２は頂点４の直下部分が最も上下方向に長く、前側中央部から脇側にかけて次第に上下長さを短くした形状としている。よって、前記凹状円弧部１０はパット２２の形状に添わせて、頂点４の直下部分では上下方向に長くし、前側中央部および脇側に向かう左右両側部では上下方向を短くしている。
【００２１】
前記突出部３を設けた基板２は、保形性を有する繊維体からなり、突出部を熱プレスして形成している。
前記繊維体からなる基板２は、図３に示すように、保形性を有する繊維基材１１と、該繊維基材１１の表面に積層一体化した表面側繊維材１２とからなる。
前記繊維基材１１は、メッシュ状の厚肉部を薄い基布に設けた一対の表面材１１ａの間に不織布１１ｂを挟んで一体化してダンボール状とし、保形性を有するものとしている。該繊維基材１１の表面に積層一体化する表面側繊維材１２は任意の布帛からなり、本実施形態では高級感を出すためにベルベットを用いている。
前記左右一対の突出部３を囲む周縁部分１５は平坦状としている。
【００２２】
本実施形態では、前記繊維基材１１と表面側繊維材１２とは長方形状のシートを重ねて積層し、カップ保持用突出部３となる左右一対の突出部を設けた長方形状の下型の上面側に配置し、下型側より負圧をかけると共に、表面側に加熱加圧空気を負荷してバキューム成形でブラジャー展示用のインナーウエア展示具１を形成している。なお、成形方法は該方法に限定されない。
【００２３】
前記構成からなるブラジャー展示用のインナーウエア展示具１に、パット付きブラジャー２０を装着し、ブラジャー２０の左右のカップ部２１を左右のカップ保持用突出部３に被せると、図４に示すように、ブラジャー２０の裏面側に膨出したパット取付部分が突出部３の凹状円弧部１０に密着する。よって、パット取付部分が突出部３からずり下がることはなく、カップ部２１が突出部３に密着した状態でかぶさり、カップ部２１の上縁側は突出部３との間に隙間があかず、密着させることができる。
【００２４】
前記左右一対の突出部３を備えた基板２からなる１枚の長方形状のインナーウエア展示具１をブラジャーの展示用として用いる場合は、ブラジャー２０のカップ部２１を突出部３に被せ、該ブラジャー２０の背面部を基板２の裏面側に回し、基板２でブラジャー２０を保持させる。これを、図５（Ａ）に示すように、インナーウエアのショップの壁面Ｗにピンからなる止め具２５で止めたり、フックから吊り下げることで、壁面を利用したブラジャーの立体展示を行うことができる。
【００２５】
また、図５（Ｂ）（Ｃ）に示すように、額縁２６に入れて展示することもできる。この場合、ブラジャー２０を取り付けた基板２の周縁部を額縁２６の表面台紙と裏板との間で挟持させればよい。
【００２６】
図６に前記第一実施形態の第一変形例を示す。
第一変形例では、カップ保持用突出部３の下半周側に凹状円弧部を設けておらず、下半周側も凸状円弧部としている。
カップ保持用突出部３に装着するブラジャー２０がパットを装着していない場合には凹状円弧部を設けていない方が好ましく、かつ、パットを装着している場合も、ブラジャー２０の肩紐２４をしっかりと基板２の上縁に係止すると、ブラジャーのカップ部のずり下がりを防止できる。
【００２７】
図７に前記第一実施形態の第二変形例を示す。
第二変形例では、基板２の上辺から左右に間隔をかけて切り込み１６を入れてブラジャーの肩紐２４を挿入して位置決めできるようにしている。さらに、左右両側壁にＬ形状の切り込み１７を入れてブラジャー２０の左右両側脇部を挿入し、位置決めできるようにしている。
【００２８】
なお、基板２の繊維基材１１は前記の基材に限定されず、保形性を有する素材であればよい。
例えば、基板２を樹脂成形品とし、樹脂成形材の表面に表面側布帛を接着剤で接着してもよい。かつ、樹脂成型品のみでもよい。
【００２９】
図８にブラジャー展示用のインナーウエア展示具１の第二実施形態を示す。
第二実施形態では基板２Ａは長方形状とせず、首から胴部にかけた人体の外形に模した形状としている。カップ保持用突出部３、３のみ突出させ、他の部分は平板状としている。
他の構成は第一実施形態と同様であるため、説明を省略する。
このように、基板２Ａを首から胴部までの上半身に模した形状とすると、首回りにネックレスＮを取り付けることができ、ブラジャーの展示の装飾的効果をより高めることができる。
【００３０】
図９に女性用ショーツからなるパンツ展示用のインナーウエア展示具３０（以下、ショーツ展示具３０と称す）からなる第三実施形態を示す。
ショーツ展示具３０では、基板２Ｂは胴部から大腿部までの外形に沿った形状とし、腹部から大腿部にかけた部分は膨出させて、ショーツ保持用突出部３１としている。
該ショーツ展示具３０の基板２Ｂは第一実施形態と同様に成形している。
該ショーツ展示具３０では、ショーツ３５を基板２Ｂの大腿部側より通して腹部に取り付けている。
なお、男性用パンツの展示用としてもよい。
【００３１】
図１０にブラジャーとショーツとの展示用の第四実施形態のインナーウエア展示具４０を示す。
基板２Ｃは首部から大腿部までの外形に沿った形状とし、胸部に当たる部分に左右一対のカップ保持用突出部３、３を設けると共に、腹部に当たる部分にショーツ保持用突出部３１を設けている。  
ブラジャーとショーツとは組み合わせたセット品とされる場合が多いため、ブラジャーとショーツとを一体として壁面に立体展示すると、商品の訴求力を強めることができる。
【符号の説明】
【００３２】
１、３０、４０  インナーウエア展示具
２、２Ａ、２Ｂ、２Ｃ  基板
３  カップ保持用突出部
２０  ブラジャー
２１  カップ部
３１  ショーツ保持用突出部
【図１】
2010167230.tif 000003
【図２】
2010167230.tif 000004
【図３】
2010167230.tif 000005
【図４】
2010167230.tif 000006
【図５】
2010167230.tif 000007
【図６】
2010167230.tif 000008
【図７】
2010167230.tif 000009
【図８】
2010167230.tif 000010
【図９】
2010167230.tif 000011
【図１０】
2010167230.tif 000012